【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
Ａ）少なくとも１つの状態に応じて、該少なくとも１つの状態に関する光を介して情報を伝達するために、少なくとも１つのＬＥＤ式光源によって生成した光の少なくとも１つの可視光特性を制御する工程
を含む、情報伝達方法。
【請求項２】
工程Ａ）が、少なくとも１つの状態に応じて、該少なくとも１つの状態に関する光の少なくとも色を介して情報を伝達するために、少なくとも１つのＬＥＤ式光源によって生成した光の少なくとも色を制御する工程
を含む、請求項１に記載の方法。
【請求項３】
工程Ａ）が、少なくとも１つの状態に応じて、情報を伝達するために、少なくとも１つのＬＥＤ式光源によって生成した光の少なくとも１つの色の色相、彩度および強度の少なくとも１つを制御する工程
を含む、請求項２に記載の方法。
【請求項４】
少なくとも１つのＬＥＤ式光源が、第一スペクトルを有する第一放射を出力するように適合された少なくとも１つの第一ＬＥＤおよび第一スペクトルとは異なる第二スペクトルを有する第二放射を出力するように適合された少なくとも１つの第二ＬＥＤを含み、そして工程Ａ）が、
前記少なくとも１つのＬＥＤ式光源によって生成した光の少なくとも１つの可視光特性を制御するために、前記第一放射の第一強度および前記第二放射の第二強度を独立して制御する工程
を含む、請求項１〜３のいずれかに記載の方法。
【請求項５】
さらに、Ｂ）少なくとも１つの状態を表わす少なくとも１つの情報信号を受け取る工程、および
Ｃ）前記少なくとも１つの情報信号を少なくとも１つの照明制御信号へ変換する工程
を含み、そして工程Ａ）が、
前記少なくとも１つの照明制御信号に基づいて、少なくとも１つのＬＥＤ式光源によって生成した光の少なくとも１つの可視光特性を制御する工程
を含む、請求項１〜４のいずれかに記載の方法。
【請求項６】
工程Ｂ）が、データベース、ネットワーク、インターネット、ソフトウエアプログラムおよび情報伝送の少なくとも１つからの少なくとも１つの情報信号を受け取る工程
を含む、請求項５に記載の方法。
【請求項７】
少なくとも１つの状態が、金融状態、環境状態、コンピュータ関連状態、電子メイル状態およびデバイスの状態の少なくとも１つに関する、請求項１〜６のいずれかに記載の方法。
【請求項８】
少なくとも１つの状態が、株式情報、会計情報、会計収支情報、取引情報、取引完了情報、貿易情報、貿易完了情報、ゲーミング情報、賭け金情報、ギャンブル情報、純資産情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報の少なくとも１つに関係する、請求項１〜７のいずれかに記載の方法。
【請求項９】
さらに、生成した光を介して情報が伝達されるべきところの少なくとも１つの状態を選択する工程を含む、請求項１〜８のいずれかに記載の方法。
【請求項１０】
選択する工程が、ウエブサイト、ウエブページ、ウエブブラウザ、ハイパーリンク、タッチスクリーン、ＬＣＤスクリーン、プラズマスクリーン、コンピュータインタフェースおよび電子メイルインタフェースの少なくとも１つを介して少なくとも１つの状態を選択する工程を含む、請求項９に記載の方法。
【請求項１１】
さらに、少なくとも１つの状態の少なくとも１つの表現を選択する工程を容易にするように表示する工程を含む、請求項９または１０に記載の方法。
【請求項１２】
少なくとも１つのＬＥＤ式光源が、複数の照明効果を提供することができるように構成され、そして工程Ａ）が
少なくとも１つの状態に少なくとも部分的に基づく少なくとも１つの照明効果を提供するように、前記少なくとも１つのＬＥＤ式光源を制御する工程
を含む、請求項１〜１１のいずれかに記載の方法。
【請求項１３】
さらに、照射された少なくとも１つのタイルを介して情報を伝達するように、少なくとも１つのＬＥＤ式光源により生成した光で、少なくとも１つのタイルを照射する工程を含む、請求項１〜１２のいずれかに記載の方法。
【請求項１４】
さらに、照射された少なくとも１つの筐体を介して情報を伝達するように、少なくとも１つのＬＥＤ式光源により生成した光で、少なくとも１つの筐体を照射する工程を含む、請求項１〜１３のいずれかに記載の方法。
【請求項１５】
さらに、少なくとも１つのＬＥＤ式光源により生成した光を少なくとも１つの電気器具と関連付ける工程を含む、請求項１〜１３のいずれかに記載の方法。
【請求項１６】
少なくとも１つの状態が、少なくとも１つの電気器具と関連付けられ、そして工程Ａ）が、
前記少なくとも１つの電気器具に関する情報を伝達するために、少なくとも１つのＬＥＤ式光源によって生成した光の少なくとも１つの可視光特性を制御する工程
を含む、請求項１５に記載の方法。
【請求項１７】
少なくとも１つの電気器具が、オーブン、マイクロウエーブオーブン、ラジオ、冷蔵庫、洗濯機、乾燥機、食器洗い機、トースタ、オーブントースタ、ミキサ、ブレンダ、ゲームシステム、ゲームコンソール、パーソナルゲームシステム、ハンドヘルドデバイス、ハンドヘルドゲームシステム、セルラーフォン、フォン、パーソナルディジタルアシスタンツ、ネットワークコンピュータ、ラップトップコンピュータ、コンピュータ、ラップトップ、パーソナルコンピュータ、サーバ、テレビ、ＶＣＲ、ＤＶＤプレーヤー、受信装置、ステレオシステム、衛星受信装置、ケーブルボックス、コンパクトディスクプレーヤー、およびスピーカからなる群から選択される、請求項１５または１６に記載の方法。
【請求項１８】
少なくとも１つの電気器具が、少なくとも１つのコンピュータを含み、少なくとも１つの状態が、前記少なくとも１つのコンピュータに関連付けられたネットワーク状態、メモリ状態、速度、クロック状態、負荷状態、過負荷状態、応答時間状態、記憶状態、データ状態および性能状態の少なくとも１つに関する、請求項１７に記載の方法。
【請求項１９】
少なくとも１つの電気器具が、少なくとも１つのコンピュータを含み、少なくとも１つの状態が、前記コンピュータまたは前記コンピュータの配置された領域に関連付けられた環境状態、温度、湿度状態、湿分状態、緊急状態、火災状態、煙状態、振動状態、光状態および時間状態の少なくとも１つに関する、請求項１７に記載の方法。
【請求項２０】
少なくとも１つのＬＥＤ式光源が、該少なくとも１つのＬＥＤ式光源の複数のＬＥＤが、夫々、キーボードの複数の対応するキーに関連付けられるようにキーボードと統合され、少なくとも１つの状態が、前記キーボードのキーストロークの所定の順序に関連する、請求項１〜５のいずれかに記載の方法。
【請求項２１】
少なくとも１つのＬＥＤ式光源、および
該少なくとも１つのＬＥＤ式光源と結合され、少なくとも１つの状態に応じて、該少なくとも１つの状態に関する光を介して情報を伝達するために、前記少なくとも１つのＬＥＤ式光源によって生成した光の少なくとも１つの可視光特性を制御するように構成されている少なくとも１つのコントローラ
を含む、装置。
【請求項２２】
少なくとも１つのコントローラが、該少なくとも１つの状態に関する光の少なくとも色を介して情報を伝達するために、少なくとも１つの状態に応じて、少なくとも１つのＬＥＤ式光源によって生成した光の少なくとも色を制御するように構成される、請求項２１に記載の装置。
【請求項２３】
少なくとも１つのコントローラが、情報を伝達するために、少なくとも１つの状態に応じて、少なくとも１つのＬＥＤ式光源によって生成した光の少なくとも１つの色の色相、彩度および強度の少なくとも１つを制御するように構成されている、請求項２２に記載の装置。
【請求項２４】
少なくとも１つのＬＥＤ式光源が、第一スペクトルを有する第一放射を出力するように適合された少なくとも１つの第一ＬＥＤおよび第一スペクトルとは異なる第二スペクトルを有する第二放射を出力するように適合された少なくとも１つの第二ＬＥＤを含み、そして前記少なくとも１つのコントローラが、前記少なくとも１つのＬＥＤ式光源によって生成した光の少なくとも１つの可視光特性を制御するために、前記第一放射の第一強度および前記第二放射の第二強度を独立して制御するように構成されている、請求項２１〜２３のいずれかに記載の装置。
【請求項２５】
少なくとも１つのコントローラが、少なくとも１つの状態を表わす少なくとも１つの情報信号を受け取り、該少なくとも１つの情報信号を少なくとも１つの照明制御信号へ変換し、そして該少なくとも１つの照明制御信号に基づいて、少なくとも１つのＬＥＤ式光源によって生成した光の少なくとも１つの可視光特性を制御するように構成されている、請求項２１〜２４のいずれかに記載の装置。
【請求項２６】
少なくとも１つのコントローラが、データベース、ネットワーク、インターネット、ソフトウエアプログラムおよび情報伝送の少なくとも１つからの少なくとも１つの情報信号を受け取るように構成されている、請求項２５に記載の装置。
【請求項２７】
少なくとも１つの状態が、金融状態、環境状態、コンピュータ関連状態、電子メイル状態およびデバイスの状態の少なくとも１つに関する、請求項２１〜２６のいずれかに記載の装置。
【請求項２８】
少なくとも１つの状態が、株式情報、会計情報、会計収支情報、取引情報、取引完了情報、貿易情報、貿易完了情報、ゲーミング情報、賭け金情報、ギャンブル情報、純資産情報、降雨情報、タスク完了情報、金融情報、気象情報、スポーツ情報、ビジネス情報、個人情報、温度情報、気象予測情報、交通情報、ニュース情報、フライト情報、旅行情報、旅行案内情報、湿度情報、コンピュータ情報、性能情報、水位情報、メンテナンス情報、セキュリティ情報、安全情報、警報情報、環境状態情報、個人情報、通信情報、メッセージ情報、健康情報、ゲーム情報、およびエンターテインメント情報の少なくとも１つに関係する、請求項２１〜２７のいずれかに記載の装置。
【請求項２９】
さらに、生成した光を介して情報が伝達されるべき少なくとも１つの状態の選択を容易にするように構成されている少なくとも１つのユーザインタフェースを含む、請求項２１〜２８のいずれかに記載の装置。
【請求項３０】
少なくとも１つのユーザインタフェースが、タッチスクリーン、ＬＣＤスクリーン、プラズマスクリーン、コンピュータインタフェースおよび電子メイルインタフェースの少なくとも１つを含む、請求項２９に記載の装置。
【請求項３１】
少なくとも１つのユーザインタフェースが、ウエブサイト、ウエブページ、ウエブブラウザおよびハイパーリンクの少なくとも１つを介して、少なくとも１つの状態の選択を容易にするように構成されている、請求項３０に記載の装置。
【請求項３２】
さらに、少なくとも１つの状態の少なくとも１つの表現を表示するように構成されている少なくとも１つのディスプレイを含む、請求項２９〜３０のいずれかに記載の装置。
【請求項３３】
少なくとも１つのＬＥＤ式光源が、複数の照明効果を提供することができるように構成され、少なくとも１つのコントローラが、少なくとも１つの状態に少なくとも部分的に基づく少なくとも１つの照明効果を提供するように、前記少なくとも１つのＬＥＤ式光源を制御するように構成されている、請求項２１〜３２のいずれかに記載の装置。
【請求項３４】
さらに、照射された少なくとも１つのタイルを介して情報が伝達されるように、少なくとも１つのＬＥＤ式光源により生成した光で照射されるように配置されている少なくとも１つのタイルを含む、請求項２１〜３３のいずれかに記載の装置。
【請求項３５】
さらに、照射された少なくとも１つの筐体を介して情報が伝達されるように、少なくとも１つのＬＥＤ式光源により生成した光で照射されるように構成されている少なくとも１つの筐体を含む、請求項２１〜３３のいずれかに記載の装置。
【請求項３６】
さらに、少なくとも１つのＬＥＤ式光源により生成した光と関連付けられた電気器具を含む、請求項２１〜３３のいずれかに記載の装置。
【請求項３７】
少なくとも１つの状態が、少なくとも１つの電気器具と関連付けられ、少なくとも１つのコントローラが、前記少なくとも１つの電気器具に関する情報を伝達するために、少なくとも１つのＬＥＤ式光源によって生成した光の少なくとも１つの可視光特性を制御するように構成されている、請求項３６に記載の装置。
【請求項３８】
少なくとも１つの電気器具が、オーブン、マイクロウエーブオーブン、ラジオ、冷蔵庫、洗濯機、乾燥機、食器洗い機、トースタ、オーブントースタ、ミキサ、ブレンダ、ゲームシステム、ゲームコンソール、パーソナルゲームシステム、ハンドヘルドデバイス、ハンドヘルドゲームシステム、セルラーフォン、フォン、パーソナルディジタルアシスタンツ、ネットワークコンピュータ、ラップトップコンピュータ、コンピュータ、ラップトップ、パーソナルコンピュータ、コンピュータ周辺装置、サーバ、テレビ、ＶＣＲ、ＤＶＤプレーヤー、受信装置、ステレオシステム、衛星受信装置、ケーブルボックス、コンパクトディスクプレーヤー、およびスピーカからなる群から選択される、請求項３６〜３７のいずれかに記載の装置。
【請求項３９】
少なくとも１つの電気器具が、少なくとも１つのコンピュータ関連デバイスを含み、少なくとも１つの状態が、前記少なくとも１つのコンピュータに関連付けられたネットワーク状態、メモリ状態、速度、クロック状態、負荷状態、過負荷状態、応答時間状態、記憶状態、データ状態および性能状態の少なくとも１つに関する、請求項３７に記載の装置。
【請求項４０】
少なくとも１つの電気器具が、少なくとも１つのコンピュータ関連デバイスを含み、少なくとも１つの状態が、前記コンピュータまたは前記コンピュータの配置された領域に関連付けられた環境状態、温度、湿度状態、湿分状態、緊急状態、火災状態、煙状態、振動状態、光状態および時間状態の少なくとも１つに関する、請求項３７に記載の装置。
【請求項４１】
さらに、キーボードを含み、少なくとも１つのＬＥＤ式光源が、該少なくとも１つのＬＥＤ式光源の複数のＬＥＤが、夫々、前記キーボードの複数の対応するキーに関連付けられるように前記キーボードと統合され、少なくとも１つの状態が、前記キーボードのキーストロークの所定の順序に関連する、請求項２１〜２５のいずれかに記載の装置。
【手続補正２】
【補正対象書類名】明細書
【補正対象項目名】０００４
【補正方法】変更
【補正の内容】
【０００４】
ワールドワイドウエブへのアクセスを通して情報は豊富にあり、このような情報を受け取り、様々な方法で、様々なデバイス上に表示することが可能である。コンピュータは、これらの情報の多くを受け取り、閲覧し、かつ対話するためのプライマリポータルの１つである。ハンドヘルドデバイスも、情報を受け取り、閲覧し、かつ対話する上で益々普及しつつある。これらのデバイスに表示される情報の種類も、実質的に無限である。限定はされないが、金融、気象、販売データなどの情報を、ダウンロードし、表示することができる。ダウンロードデバイスによってユーザは一般に、データと対話し、トランザクションを実行することができる。ゲームソフトウエア（gaming software）も、人気のあるオンライン活動となりつつあり、これを使うと遠隔地からゲームソフトウエアと対話することができる。ゲームはまた、急速にオンライン体験になりつつある。これらのゲームの拡張として、２人またはそれ以上のユーザが同時に、しかもすべてのユーザが異なる場所にいるときでも、同じゲームに参加することもできる。